(57)【要約】      （修正有）【課題】外装ケースと肩部材との前面側における上下左右の歪みを矯正することができ、外装ケースと肩部材との間の隙間を無くし、更に歪差をなくすことができる魔法瓶を提供する。【解決手段】外装ケース３の内向き係止縁部９を肩部材の外向き係止部１６に無理嵌めしてなる空気圧利用式の魔法瓶に於いて、上記水切部の垂下壁１０前方側には、嘴部４ｂ内と連なるように切り欠いた前面カット部１３を設け、この前面カット部１３を形成する左右側壁の前面端にＬ状の溝をそれぞれ設け、左右側壁の後面端に給液口１１に向けて大リブ１５、１５をそれぞれ設けると共に、嘴部４ｂ下面に当てがう嘴部カバー１９の後側に左右の溝に嵌合して前面カット部１３の左右間を繋ぐ嵌合片２５を設け、外装ケース３と肩部材とを嵌合した状態で嘴部カバー１９の嵌合片２５が外装ケースの内向き係止縁部９の上方に配置された構成としている。【選択図】図５
0003175216.tif 000002
【実用新案登録請求の範囲】
【請求項１】
液体を収容する内容器（２）と、内容器を囲み上端に環状の内向き係止縁部（９）を備えた外装ケース（３）と、外装ケースの上端を覆い、内容器口元と連通する給液口（１１）を備え、下面外周の環状の垂下壁（１０）に爪状の外向き係止部（１６）を有する水切部（４ａ）及び水切部の前方で内部空洞の嘴部（４ｂ）とからなる肩部材（４）と、肩部材の上端に開閉自在に装着し、ベローズポンプ（６）内蔵の蓋体（７）と、内容器（２）内の液体を外部へ吐出する液体注出部材（８）とを有し、嘴部（４ｂ）下端を嘴部カバー（１９）にて覆い、外装ケース（３）の内向き係止縁部（９）を肩部材（４）の外向き係止部（１６）に無理嵌めしてなる空気圧利用式の魔法瓶（１）に於いて、上記水切部（４ａ）の垂下壁（１０）前方側には、嘴部（４ｂ）内と連なるように切り欠いた前面カット部（１３）を設け、この前面カット部（１３）を形成する左右側壁の前面端にＬ状の溝（１８）、（１８）をそれぞれ設け、左右側壁の後面端に給液口（１１）に向けて大リブ（１５）、（１５）をそれぞれ設けると共に、嘴部（４ｂ）下面に当てがう嘴部カバー（１９）の後側に左右の溝（１８）、（１８）に嵌合して前面カット部（１３）の左右間を繋ぐ嵌合片（２５）を設け、外装ケース（３）と肩部材（４）とを嵌合した状態で嘴部カバー（１９）の嵌合片（２５）が外装ケースの内向き係止縁部（９）の上方に配置されていることを特徴とした空気圧利用式の魔法瓶。
【考案の詳細な説明】
【技術分野】
【０００１】
本考案は、液体注出部材の一部を肩部材と嘴部カバーとで被覆してなる空気圧利用式の魔法瓶に関するものである。
【背景技術】
【０００２】
従来、空気圧利用式の液体容器（魔法瓶）としては、外ケース４内に設けた内容器５内の液体を注出する一連の液体注出通路９を有し、この液体注出通路の注口管９７を外ケース４上部の肩部材６と注口管カバー７とで被覆してなる液体容器で、注口管カバー７を肩部材６の前方突出部６１の下面に当てがい且つ注口管カバー７の内側端縁７２を外ケース４の上端開口縁に載置して、外ケースの上端開口縁に形成した内向き係止縁部４９に肩部材を無理嵌合させることにより、注口管カバー７を前方突出部６１の下面と外ケースの上端開口縁との間で固定した構造のものが、実開平６−２１５４６号として存在する。
【先行技術文献】
【特許文献】
【０００３】
【特許文献１】実開平６−２１５４６号公報
【考案の概要】
【考案が解決しようとする課題】
【０００４】
ところが、この種の空気圧利用式の液体容器（魔法瓶）にあっては、注口管カバーの取り付けを簡単にする目的で、注口管カバーを肩部材の前方突出部の下面に当てがい且つこの注口管カバーの内側端縁を外ケースの上端開口縁に載置して、外ケースの上端開口縁に形成した内向き係止縁部に肩部材を無理嵌合させ、注口管カバーが固定され、外ケースと肩部材とが分離されない限り、注口管カバーが外れることがないようにしているために、
液体容器（魔法瓶）を組み立てた後、万一液体注出通路の注口管近傍部分に不良が生じてもどうすることもできないという問題点があった。
【０００５】
又、外ケースの内向き係止縁部の前面の大きく切り欠いた切欠を設けているために、肩部材の外向き係止部とこの外ケースの内向き係止縁部が無理嵌めする際に、前面の切欠を形成する左右側壁が変形しやすく、肩部材の前部側で嵌合がし難く、隙間が大きくなって見栄えが悪いものとなるという問題点があった。
【課題を解決するための手段】
【０００６】
本考案は、液体を収容する内容器２と、内容器を囲み上端に環状の内向き係止縁部９を備えた外装ケース３と、外装ケースの上端を覆い、内容器口元と連通する給液口１１を備え、下面外周の環状の垂下壁１０に爪状の外向き係止部１６を有する水切部４ａ及び水切部の前方で内部空洞の嘴部４ｂとからなる肩部材４と、肩部材の上端に開閉自在に装着し、ベローズポンプ６内蔵の蓋体７と、内容器２内の液体を外部へ吐出する液体注出部材８とを有し、嘴部４ｂ下端を嘴部カバー１９にて覆い、外装ケース３の内向き係止縁部９を肩部材４の外向き係止部１６に無理嵌めしてなる空気圧利用式の魔法瓶１に於いて、上記水切部４ａの垂下壁１０前方側には、嘴部４ｂ内と連なるように切り欠いた前面カット部１３を設け、この前面カット部１３を形成する左右側壁の前面端にＬ状の溝１８、１８をそれぞれ設け、左右側壁の後面端に給液口１１に向けて大リブ１５、１５をそれぞれ設けると共に、嘴部４ｂ下面に当てがう嘴部カバー１９の後側に左右の溝１８、１８に嵌合して前面カット部１３の左右間を繋ぐ嵌合片２５を設け、外装ケース３と肩部材４とを嵌合した状態で嘴部カバー１９の嵌合片２５が外装ケースの内向き係止縁部９の上方に配置された構成としている。
【考案の効果】
【０００７】
本考案は、従来の問題点を解決したものであって、嘴部カバーの取り付けが容易且つ確実であり、しかも嘴部カバーの取り外しも極めて簡単であるので、万一液体注出部材の一部に欠陥が生じても、速やかに対処でき、又外装ケースと肩部材との前面側における上下左右の歪みを矯正することができて、外装ケースと肩部材との間の隙間を無くし、更に歪差をなくすことができる空気圧利用式の魔法瓶を提供するにある。
【図面の簡単な説明】
【０００８】
【図１】本考案実施例の斜視図。
【図２】本考案実施例の正面図。
【図３】本考案実施例の右側面図。
【図４】本考案実施例のＡ−Ａ縦断面図。
【図５】本考案実施例の要部を示す分解斜視図。
【図６】本考案実施例のＢ部拡大図。
【図７】本考案実施例のＣ部拡大図。
【考案を実施するための形態】
【０００９】
空気圧利用式の魔法瓶１は、ガラス製真空二重瓶の内容器２と、内容器を囲む外装ケース３と、外装ケースの上端を覆う肩部材４と、外装ケースの下端を覆う底部材５と、肩部材の上端に開閉自在に装着するベローズポンプ６内蔵の蓋体７と、内容器内の液体を外部へ吐出する液体注出部材８とから構成されている。
３０は把手である。
【００１０】
外装ケース３は、薄い鉄板を円筒状にして、上端開口縁全週に亘って内方に折り返し形成した内向き係止縁部９を設けている。この外装ケース３には、下端内側開口縁全週に亘ってねじ輪を嵌め込んだ状態でカーリングされている。
【００１１】
肩部材４には、内容器２の口元と連通する水切部４ａと、水切部の前方の嘴部４ｂとが一体成形されている。
この水切部４ａは、上面側がすりばち状に形成されており、下面側には、図５に示すように、外装ケース３の上端部の内径とほぼ同径の外径をもつ略環状の垂下壁１０と、この垂下壁の内側中央に内容器２の口元と連通する給液口１１とを備え、この給液口の口縁下面と内容器の上端部との間に介在し、適宜の高さをもつ筒状の筒体１２とが形成されている。
【００１２】
この垂下壁１０には、図５又は図７に示すように、前方の一部を大きく切り欠いた前面カット部１３が備えられ、垂下壁の左右両側より嘴部４ｂが一体的に形成されている。
この垂下壁１０と筒体１２との間には、適宜の間隔を隔てて小リブ１４，１４が設けられ、前面カット部１３の両側より筒体に向けて大リブ１５，１５が設けられている。
この大リブ１５，１５を設けたことにより、前面カット部１３の上下左右への歪みをも解消することができる。
【００１３】
この垂下壁１０の下端外面には、図５に示すように、爪状の外向き係止部１６が周方向に形成されている。
この垂下壁１０には、周方向に適宜間隔をもって小さな切欠１７，１７が形成されていて、外装ケース３の内向き係止縁部９がこの垂下壁１０の外向き係止部１６に無理嵌めしやすいように、内外方向に若干量だけ撓ませることができるようになっている。
【００１４】
この外装ケース３と肩部材４とは、外装ケース側の内向き係止縁部９に肩部材側の外向き係止部１６を無理嵌めさせることによって結合されている。
この垂下壁１０を切り欠いた前面カット部１３の左右両端には、図５又は図７に示すように、Ｌ状に垂下した溝１８，１８がそれぞれ形成されている。
肩部材の筒体１２の前面壁には、後述の液体注出部材８の連通パイプ２２を通す透孔２３が形成されている。
【００１５】
肩部材４の嘴部４ｂは、図４に示すように、下端より内部に向けて空洞としている。この嘴部４ｂの前端内壁には、後述の嘴部カバー１９の受孔２０に挿通する突起片２１が形成されている。
【００１６】
嘴部カバー１９は、図５に示すように、肩部材４の嘴部４ｂの開口された下端面全体を覆う大きさに形成されている。
この嘴部カバー１９には、嘴部４ｂの突起片２１を嵌入させる受孔２０が形成されている。
嘴部カバー１９には、後述の液体注出部材８の吐出パイプ２７ｃを挿通する縦孔２４が形成されている。
【００１７】
嘴部カバー１９には、図５又は図７に示すように、肩部材４の前面カット部１３の左右両側のＬ状の溝１８，１８にそれぞれ挿入されて、前面カット部１３の下部両端間を繋ぐ嵌合片２５が形成されている。
【００１８】
液体注出部材８は、肩部材４の給液口１１より内容器２内に垂下し、肩部材の連通パイプ２２と結合する揚水パイプ２６と、上端が連通パイプ２２と連通する連結パイプ２７ａ、弁部材２７ｂ及び吐出パイプ２７ｃを備えた吐出通路体２７とからなっている。
この吐出通路体２７は、肩部材４の前面カット部１３を通り嘴部４ｂ内側にあって、吐出パイプ２７ｃの一部が嘴部カバー１９の縦孔２４に挿通されている。
【００１９】
蓋体７は、その後側をピンで枢着されると共にその前側を蓋ロックレバーにてロックされている。
蓋体７内には、ベローズポンプ６が内蔵され、このベローズポンプの上方にポンプ押板２８が上下動自在に設けられ、このポンプ押板の押圧にてベローズポンプ６からの加圧空気が内容器２内に吹き込まれ、該加圧空気によって内容器内の液体を一連の液体注出部材８を通して吐出パイプ２７ｃから外部に注出できるようにしている。
【００２０】
底部材５は、図４に示すようにねじ輪を介して外装ケース３の下端に装着する底輪と、底輪の中央に螺着し、内容器２を押し上げる底螺子とからなっている。
【００２１】
組み立てに際して、嘴部カバー１９は、外装ケース３と肩部材４とを組み付ける前に、嘴部カバー１９の受孔２０に肩部材の嘴部４ｂの突起片２１を嵌入した後、嘴部カバーの嵌合片２５の左右両側をＬ状の溝１８，１８内にそれぞれ嵌めこみ、肩部材の嘴部４ｂの下端全体を覆う。その後、肩部材の外向き係止部１６に外装ケース３の内向き係止縁部９を嵌合させる。
【００２２】
この状態では、嘴部カバー１９の嵌合片２５下端面が外装ケース３の前面カット部１３の内向き係止縁部９上に配置されている。
この嘴部カバー１９の嵌合片２５は、前面カット部１３の切り欠いた部分の橋渡しをして、垂下壁１０の安定化をはかっている。
【００２３】
これにより、嘴部カバーは、挟着されているが、固定されてはいないので、嘴部カバー１９の嵌合片側を上方へ押し上げながら、前面の受孔２０より突起片２１を抜けば、嘴部カバーを取り外すことができ、又その逆で嘴部カバーの嵌合片２５を一旦斜め上方に位置させ、受孔２０に突起片２１を嵌合した後、嵌合片２５の両端をＬ状の溝１８，１８に沿って降下させて、嵌合片の下端を外装ケース３の内向き係止縁部９上端に接すれば、嘴部カバー１９のセットが完了する。
【００２４】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２５】
１…空気圧利用式の魔法瓶
２…内容器
３…外装ケース
４…肩部材
４ａ…水切部
４ｂ…嘴部
６…ベローズポンプ
７…蓋体
８…液体注出部材
９…内向き係止縁部
１０…垂下壁
１１…給液口
１２…筒体
１３…前面カット部
１４、１４…小リブ
１５、１５…大リブ
１６…外向き係止部
１７、１７…切欠
１８、１８…溝
１９…嘴部カバー
２０…受孔
２１…突起片
２４…縦孔
２５…嵌合片
２６…揚水パイプ
２７…吐出通路体
２７ａ…連結パイプ
２７ｂ…弁部材
２７ｃ…吐出パイプ
３０…把手
【図１】
0003175216.tif 000003
【図２】
0003175216.tif 000004
【図３】
0003175216.tif 000005
【図４】
0003175216.tif 000006
【図５】
0003175216.tif 000007
【図６】
0003175216.tif 000008
【図７】
0003175216.tif 000009